(57)【要約】      （修正有）【課題】蓋部材の取付け鍔部から下方に向けて突出するポンプケースの高さを低く形成し、扁平型の燃料タンクが採用される二輪車への搭載性のすぐれた燃料ポンプユニット装置を提供する。【解決手段】蓋部材１は取付け鍔部１ａと、取付け筒部１ｂと、ポンプ取付けボス１ｅと、プレッシャーレギュレター取付けボス１ｆとを備え、ポンプ取付けボス１ｅにはポンプ流路１ｇが穿設され、プレッシャーレギュレター取付けボス１ｆにはプレッシャーレギュレター流路１ｋが穿設され、各々流路は燃料吐出通路１ｈと接続される。ポンプケース２の挿入筒部２ｄは蓋部材１の取付け筒部１ｂに挿入係合配置され、燃料ポンプＰをポンプ収納筒部２ｂと蓋部材１のポンプ取付けボス１ｅとによって挟持し、プレッシャーレギュレターＲをポンプケース２の係止段部２ｃと蓋部材１のプレッシャーレギュレター取付けボス１ｆによって挟持する。【選択図】  図１
2007291932.tif 000002
【特許請求の範囲】
【請求項１】
燃料タンクの開口部を閉塞する蓋部材に、燃料ポンプとプレッシャーレギュレターが一体的に取着され、燃料タンクの開口部を蓋部材によって閉塞することにより、燃料ポンプとプレッシャーレギュレターとが燃料タンク内に固定配置される燃料ポンプユニット装置において、
平板状の取付け鍔部１ａを有する蓋部材１は、取付け鍔部１ａから下方に向かって突出し、その側壁１ｃに係止孔１ｄが穿設された取付け筒部１ｂと、取付け鍔部１ａから下方に向かって突出するとともに、取付け筒部１ｂの内方に形成されるポンプ取付けボス１ｅと、取付け鍔部１ａから下方に向かって突出するとともに、取付け筒部１ｂの内方に形成されるプレッシャーレギュレター取付けボス１ｆと、
下端が、ポンプ取付けボス１ｅの下端１ｅ１に開口し、上端が蓋部材１に穿設される燃料吐出通路１ｈに接続されるとともに取付け筒部１ｂと平行に穿設されるポンプ流路１ｇと、下端が、プレッシャーレギュレター取付けボス１ｆの下端１ｆ１に開口し、上端が前記燃料吐出通路１ｈに接続されるとともに取付け筒部１ｂと平行に穿設されるプレッシャーレギュレター流路１ｋとを備え、
一方ポンプケース２は、有底カップ状をなすポンプ収納筒部２ｂと、ポンプ収納筒部２ｂの上端２ｂ１から一側方に向けて係止段部２ｃが形成されるとともに上方に向かう側壁２ｅに係止部２ｆが突出して形成された挿入筒部２ｄとを備え、前記ポンプケースのポンプ収納筒部２ｂ内に収納配置される燃料ポンプＰの吐出路Ｐａを蓋部材１のポンプ取付けボス１ｅの下端１ｅ１に開口するポンプ流路１ｇに挿入配置するとともにポンプケース２の係止段部２ｃ上に配置されるプレッシャーレギュレターＲを、蓋部材１のプレッシャーレギュレター取付けボス１ｆの下端１ｆ１に開口するプレッシャーレギュレター流路１ｋ内に挿入配置し、
かかる状態において、ポンプケース２の挿入筒部２ｄを、蓋部材１の取付け筒部１ｂ内に挿入配置するとともに、係止部２ｆを係止孔１ｄに向けて係合配置し、燃料ポンプＰを、ポンプケース１のポンプ収納筒部２ｂと蓋部材１のポンプ取付けボス１ｅにて挟持するとともに、プレッシャーレギュレターＲを、ポンプケース２の係止段部２ｃと蓋部材１のプレッシャーレギュレター取付けボス１ｆにて挟持したことを特徴とする燃料ポンプユニット装置。
【発明の詳細な説明】
【技術分野】
【０００１】
本発明は、燃料タンク内の燃料を燃料タンク内に配置される燃料ポンプによって吸入して昇圧し、この昇圧された燃料を燃料噴射弁を介して機関に連なる吸気管内に向けて噴射供給する燃料噴射装置における燃料ポンプユニット装置に関する。
【背景技術】
【０００２】
従来の燃料ポンプユニット装置の第１例は図２に示される。図２はその要部縦断面図であって図により説明する。
Ｔは内部に燃料が貯溜される燃料タンクであり、給油孔とは別に開口部Ｔａが穿設される。燃料ポンプユニット装置は以下によって形成される。１０は、燃料タンクＴの開口部Ｔａを閉塞する平板状の取付け鍔部１０ａを有する蓋部材であり、蓋部材１０は以下の構成を備える。
１０ｂは、取付け鍔部１０ａより下方に向かって突出する環状の取付け筒部であり、その側壁１０ｃには係止孔１０ｄが穿設される。
又、取付け鍔部１０ａより下方であって且つ取付け筒部１０ｂの内方には、取付けボス１０ｅが突出して形成されるもので、この取付けボス１０ｅの下端１０ｅ１から上方の燃料吐出通路１０ｆに向けてポンプ流路１０ｇが穿設される。
又、取付けボス１０ｅの左側端１０ｅ２から水平方向に、ポンプ流路１０ｇに連絡されるプレッシャーレギュレター流路１０ｈが穿設される。上述の如く、ポンプ流路１０ｇは、取付けボス１０ｅの下端１０ｅ１に開口し、プレッシャーレギュレター流路１０ｈは、取付けボス１０ｅの左側端１０ｅ２に開口する。
次にポンプケース１１は以下によって形成される。
１１ａはポンプケース１１の長手方向における略中間部に形成された仕切壁であり、仕切壁１１ａの外周より下方に向かってポンプ収納筒部１１ｂが形成される。ポンプ収納筒部１１ｂの下方は、下方に向けて開口して形成され、ポンプ収納筒部１１ｂの下端近傍の側壁１１ｃには一側方（図２において右方）に向けて第１係止部１１ｄが突出して形成される。又、仕切壁１１ａの外周より上方に向かって中間壁１１ｅが形成され、中間壁１１ｅの上端から更に上方に向けて環状の挿入筒部１１ｆが形成されるもので、挿入筒部１１ｆの側壁１１ｇには、一側方に向けて第２係止部１１ｈが突出して形成される。更に仕切壁１１ａには、仕切壁１１ａから下方及び上方に向けてポンプ取付けボス１１ｋが突出して形成されるもので、このポンプ取付けボス１１ｋの下端１１ｋ１から上端１１ｋ２に向けてポンプ流路１１ｍが穿設される。
そして、ポンプケース１１には以下によって燃料ポンプＰが収納配置される。燃料ポンプＰは、ポンプ収納筒部１１ｂの下方の開口からポンプ収納筒部１１ｂ内に挿入され、かかる状態においてポンプ収納筒部１１ｂの下端の開口が有底カップ状のカップホルダー１２によって閉塞される。具体的にはカップホルダー１２の側壁に穿設される係止孔１２ａ内にポンプケース１１の第１係止部１１ｄが係合されてカップホルダー１２がポンプケース１１に装着される。
以上によると、燃料ポンプＰはポンプ収納筒部１１ｂ内に収納配置され、カップホルダー１２の底部１２ｂと、ポンプ取付けボス１１ｋの下端１１ｋ１とによって挟持され、このとき燃料ポンプＰの吐出路Ｐａは、ポンプ流路１１ｍの下端の開口内に挿入されてポンプ流路１１ｍと接続され、燃料ポンプＰのカップホルダー１２より下方に突出する吸入路ＰｂにはフィルターＦが装着される。
一方、蓋部材１０には、以下によってプレッシャーレギュレターＲが装着される。すなわち、プレッシャーレギュレターＲは図２において左方から右方に向けて取付けボス１０ｅの左側端１０ｅ２に開口するプレッシャーレギュレター流路１０ｈ内に挿入され、クリップ部材Ｃによって取付けボス１０ｅに固定配置される。
そして、燃料ポンプＰを備えるポンプケース１１の挿入筒部１１ｆが蓋部材１０の取付け筒部１０ｂに向けて挿入配置されるもので、このとき第２係止部１１ｈが係止孔１０ｄに係合されることによりポンプケース１１が蓋部材１０に固定的に装着され、このときポンプ取付けボス１１ｋの上端１１ｋ２がポンプ流路１０ｇ内に挿入される。以上をもって燃料ポンプＰ及びプレッシャーレギュレターＲを備える燃料ポンプユニット装置が形成される。そして、燃料タンクＴの開口部Ｔａを蓋部材１０の取付け鍔部１０ａをもって閉塞することにより燃料ポンプユニット装置を構成する燃料ポンプＰ、プレッシャーレギュレターＲが燃料タンクＴ内に収納配置される。
【０００３】
以上によると、機関の運転に伴ない燃料ポンプＰが駆動すると、燃料タンクＴ内の燃料は、フィルターＦ、吸入路Ｐｂを介して燃料ポンプＰ内に吸入されて昇圧され、この燃料が吐出路Ｐａ、ポンプ流路１１ｍを介して燃料吐出路１０ｆに供給される。一方、燃料吐出路１０ｆ内を流れる燃料の一部は、プレッシャーレギュレター流路１０ｈを介してプレッシャーレギュレターＲに供給されるもので、プレッシャーレギュレターＲの調圧作用により、燃料吐出通路１０ｆ内を流れる燃料圧力は所定の一定圧力に調圧され、この調圧された燃料が燃料吐出通路１０ｆを介して図示せぬ燃料噴射弁へ供給される。
【０００４】
図３には従来の燃料ポンプユニット装置の第２例が示される。尚、図２と同一構造部分は同一符号を使用して説明を省略する。蓋部材１０は、図２に示される蓋部材が使用される。ポンプケース１１には挿入筒部１１ｆの下端近傍の内側壁１１ｇ１に、内方に突出する位置決め部１１ｐが形成される。そして、蓋部材１０には、以下によってプレッシャーレギュレターＲが装着される。１３はプレッシャーレギュレター装着用のアダプター（以下単にアダプターという）であり、このアダプター１３は、水平方向に形成される挿入筒部１３ａと、挿入筒部１３ａから下方に向かって形成されるプレッシャーレギュレター装着筒部１３ｂとによってＬ字型に形成され、挿入筒部１３ａの右端からプレッシャーレギュレター装着筒部１３ｂの下端に向けてアダプター通路１３ｃが穿設される。そして、アダプター１３のプレッシャーレギュレター装着筒部１３ｂの下端に開口するアダプター通路１３ｃにプレッシャーレギュレターＲが挿入され、プレッシャーレギュレターＲは、クリップ部材Ｃによってアダプター１３に固定配置される。そして、かかるプレッシャーレギュレターＲが固定されたアダプター１３の挿入筒部１３ａが取付けボス１０ｅの左端１０ｅ２に開口するプレッシャーレギュレター流路１０ｈに挿入配置されるもので、以上によるとプレッシャーレギュレターＲは、アダプター通路１３ｃ、プレッシャーレギュレター通路１０ｈを介してポンプ流路１０ｇに連絡される。
そして、燃料ポンプＰを備えるポンプケース１１が第１の従来例と同様に蓋部材１０に装着されるもので、このときポンプケース１１の位置決め部１１ｐがアダプター１３のプレッシャーレギュレター装着筒部１３ｂの外周に臨んで配置され、これによってアダプター１３の挿入筒部１３ａがプレッシャーレギュレター流路１０ｈから脱出することを抑止できる。
【発明の開示】
【発明が解決しようとする課題】
【０００５】
かかる従来の第１の燃料ポンプユニット装置によると以下の課題を有する。
（１）ポンプケース１１は、その長手方向にポンプ収納筒部１１ｂと、ポンプ取付けボス１１ｋとが連設されるので、蓋部材１０の取付け鍔部１０ａの下面からポンプ収納筒部１１ｂが大きく下方に突出する。以上によると、二輪車の如く、深さの浅い扁平型の燃料タンクが採用されるものにおいて装着の自由度が阻害されるとともに自動車に比較して振動条件のきびしい二輪車に搭載する際、剛性を高める必要がある。
（２）燃料ポンプＰの吐出路Ｐａと蓋部材１０に穿設される燃料吐出路１０ｆとを連絡するポンプ流路１１ｍの長さが長くなるもので、これによるとポンプ流路１１ｍ内のベーパーの排出性を高める必要がある。
（３）燃料ポンプＰは、ポンプ収納筒部１１ｂの下端の開口を、カップホルダー１２によって閉塞することによってポンプ収納筒部１１ｂ内に収納配置されるもので、カップホルダー１２の装着作業及び部品点数が増加し、製造コストを低減できない。
（４）燃料ポンプＰの燃料吐出系統において、ポンプ吐出路Ｐａとポンプ流路１１ｍとの間の第１のシール部材Ｓ１及びポンプ取付けボス１１ｋとポンプ流路１０ｇとの間の第２のシール部材Ｓ２と２個のシール部材を必要とするもので、これによると製造コストの低減を達成することができないとともにこれらシール部材の２個所の洩れ確認テストを必要とする。
（５）プレッシャーレギュレターＲは、クリップ部材Ｃをもって取付けボス１０ｅ（第２の従来例にあってはアダプター１３）に固着されるもので、作業工数、部品点数が増加し、製造コストを低減できない。
【０００６】
又、従来の第２の燃料ポンプユニット装置によると、前記課題に加え、更に次の課題を有する。
（６）ポンプケース１１の挿入筒部１１ｆを、蓋部材１０の取付け筒部１０ｂに向けて挿入する際、挿入筒部１１ｆの内側壁１１ｇ１に突出して設けた位置決め部１１ｐがアダプター１３のプレッシャーレギュレター装着筒部１３ｂの外周に引掛る恐れがあり、ポンプケース１１の蓋部材１０に対する装着作業性が劣る。
【０００７】
本発明になる燃料ポンプユニット装置は上記課題に鑑み成されたもので、蓋部材の取付け鍔部から下方に向けて突出するポンプケースの突出高さを低くすることにより特に扁平型の燃料タンクが採用される二輪車への搭載性のすぐれた前記装置を提供すること。及び製造コストの安価な前記装置を提供することを主たる目的とする。
【課題を解決するための手段】
【０００８】
本発明になる燃料ポンプユニット装置は、前記目的達成のために、燃料タンクの開口部を閉塞する蓋部材に、燃料ポンプとプレッシャーレギュレターが一体的に取着され、燃料タンクの開口部を蓋部材によって閉塞することにより、燃料ポンプとプレッシャーレギュレターとが燃料タンク内に固定配置される燃料ポンプユニット装置において、平板状の取付け鍔部を有する蓋部材は、取付け鍔部から下方に向かって突出し、その側壁に係止孔が穿設された取付け筒部と、取付け鍔部から下方に向かって突出するとともに、取付け筒部の内方に形成されるポンプ取付けボスと、取付け鍔部から下方に向かって突出するとともに、取付け筒部の内方に形成されるプレッシャーレギュレター取付けボスと、下端が、ポンプ取付けボスの下端に開口し、上端が蓋部材に穿設される燃料吐出通路に接続されるとともに取付け筒部と平行に穿設されるポンプ流路と、下端が、プレッシャーレギュレター取付けボスの下端に開口し、上端が前記燃料吐出通路に接続されるとともに取付け筒部と平行に穿設されるプレッシャーレギュレター流路とを備え、一方ポンプケースは、有底カップ状をなすポンプ収納筒部と、ポンプ収納筒部の上端から一側方に向けて係止段部が形成されるとともに上方に向かう側壁に係止部が突出して形成された挿入筒部とを備え、前記ポンプケースのポンプ収納筒部内に収納配置される燃料ポンプの吐出路を蓋部材のポンプ取付けボスの下端に開口するポンプ流路に挿入配置するとともにポンプケースの係止段部上に配置されるプレッシャーレギュレターを、蓋部材のプレッシャーレギュレター取付けボスの下端に開口するプレッシャーレギュレター流路内に挿入配置し、かかる状態において、ポンプケースの挿入筒部を、蓋部材の取付け筒部内に挿入配置するとともに、係止部を係止孔に向けて係合配置し、燃料ポンプを、ポンプケースのポンプ収納筒部と蓋部材のポンプ取付けボスにて挟持するとともに、プレッシャーレギュレターを、ポンプケースの係止段部と蓋部材のプレッシャーレギュレター取付けボスにて挟持したことを特徴とする。
【発明の効果】
【０００９】
本発明の燃料ポンプユニット装置によると、
（１）ポンプケース内に収納配置された燃料ポンプの吐出路が蓋部材のポンプ取付けボスに穿設されたポンプ流路に直接的に挿入されて支持されるので、蓋部材の取付け鍔部から下方に向かうポンプケースの突出高さを充分に低くすることができ、これによって扁平型の燃料タンクが採用される二輪車への搭載性を大きく向上できるとともにポンプケースの剛性を大きく高めることなく二輪車へ採用できる。更にはポンプ流路の通路長さを短くできるのでベーパーの排出性を向上できる。
（２）燃料ポンプは、ポンプケースの底部と蓋部材のポンプ取付けボスの下端とによって挟持され、又プレッシャーレギュレターは、ポンプケースの係止段部とプレッシャーレギュレター取付けボスの下端とによって挟持されるので、格別なクリップ部材、取付け部材を必要とすることなく、且つ極めて簡単にそれらを装着でき、もって製造コストを大きく低減できる。
（３）ポンプ流路は、取付け筒部と平行に形成され、又プレッシャーレギュレター流路も取付け筒部と平行に形成されるので、これらポンプ流路、プレッシャーレギュレター流路を蓋部材の射出成型時において、取付け筒部とともに一体的に鋳抜き形成することができ、製造コストを低減できる。
（４）燃料ポンプの燃料吐出系統において、燃料ポンプの吐出路とポンプ流路との間に単一のシール部材が配置されればよいので、組みつけ作業、部品点数及びシール部分の洩れ確認作業を削減でき、製造コストを低減できる。
【発明を実施するための最良の形態】
【００１０】
以下、本発明になる燃料ポンプユニット装置の一実施例について図１により説明する。Ｔは開口部Ｔａが穿設され、内部に燃料が貯溜される燃料タンクである。蓋部材１は以下よりなる。蓋部材１は、燃料タンクＴの開口部Ｔａを閉塞する平板状の取付け鍔部１ａと、取付け鍔部１ａの下面から下方に向かって突出する環状の取付け筒部１ｂを有し、取付け筒部１ｂの側壁１ｃには係止孔１ｄが穿設される。
又、取付け鍔部１ａの下面から下方に向かってポンプ取付けボス１ｅと、プレッシャーレギュレター取付けボス１ｆとが突出するもので、これらポンプ取付けボス１ｅ、プレッシャーレギュレター取付けボス１ｆは取付け筒部１ｂの内方に形成される。
そして、ポンプ取付けボス１ｅには、取付け筒部１ｂと平行にポンプ流路１ｇが穿設されるもので、ポンプ流路１ｇの下端はポンプ取付けボス１ｅの下端１ｅ１に開口し、上端は蓋部材１に、水平方向に穿設された燃料吐出路１ｈに接続される。
又、プレッシャーレギュレター取付けボス１ｆには、取付け筒部１ｂと平行にプレッシャーレギュレター流路１ｋが穿設されるもので、プレッシャーレギュレター流路１ｋの下端は、プレッシャーレギュレター取付けボス１ｆの下端１ｆ１に開口し、上端は前記燃料吐出路に接続される。
【００１１】
ポンプケース２は、以下よりなる。ポンプケース２は、その下方に底部２ａを有する有底カップ状のポンプ収納筒部２ｂと、ポンプ収納筒部２ｂの上端２ｂ１より一側方（図１において右方）にのびる係止段部２ｃと、係止段部２ｃの外周から上方に向かって開口する環状の挿入筒部２ｄとにより形成されるもので、挿入筒部２ｄの側壁２ｅには、一側方に突出する係止部２ｆが形成される。
【００１２】
そして、蓋部材１、ポンプケース２によって燃料ポンプユニット装置Ｕが以下によって形成される。第１にポンプケース２のポンプ収納筒部２ｂ内に燃料ポンプＰが挿入配置されるもので、これによると、燃料ポンプＰの下端はクッション部材３を介してポンプ収納筒部２ｂの底部２ａに当接配置されるとともに吸入路Ｐｂは底部２ａより下方に突出して配置され、この突出する吸入路ＰｂにフィルターＦが装着される。
又、吐出路Ｐａは、挿入筒部２ｄ内に突出配置される。又、ポンプケース２の係止段部２ｃ上にはプレッシャーレギュレターＲが配置されるもので、具体的にはプレッシャーレギュレターＲの中間部に形成された環状鍔部Ｒａが係止段部２ｃに当接して配置される。
【００１３】
そして、前記燃料ポンプ、プレッシャーレギュレターＲ、フィルターＦを備えるポンプケース２は、以下によって蓋部材１に取着される。すなわち、ポンプケース２の挿入筒部２ｄが蓋部材１の取付け筒部１ｂ内に挿入され、このとき係止部２ｆが係止孔１ｄに係合配置される。そして、前記ポンプケース２と蓋部材１との係合状態において、燃料ポンプＰの吐出路Ｐａは、ポンプ流路１ｇの下端の開口内に挿入配置され、プレッシャーレギュレターＲの上方部分がプレッシャーレギュレター流路１ｋの下端１ｋ１への開口内に挿入配置される。
以上によれば、ポンプ収納筒部２ｂ内に配置される燃料ポンプＰは、ポンプ収納筒部２ｂの底部２ａとポンプ取付けボス１ｅの下端１ｅ１によって挟持され、プレッシャーレギュレターＲは、ポンプケース２の係止段部２ｃとプレッシャーレギュレター取付けボス１ｆの下端１ｆ１によって挟持される。
【００１４】
以上によって、燃料ポンプユニット装置Ｕが形成されるもので、蓋部材１の取付け鍔部１ａによって燃料タンクＴの開口部Ｔａが閉塞され、これによると取付け筒部１ｂ、ポンプケース２、フィルターＦ、及び蓋部材１とポンプケース２との間に配置される燃料ポンプＰ、プレッシャーレギュレターＲは、燃料タンクＴ内に配置される。
而して、機関の運転に伴って燃料ポンプＰが駆動すると、燃料タンクＴ内の燃料は、フィルターＦ、吸入路Ｐｂを介して燃料ポンプＰ内に吸入され、燃料ポンプＰによって昇圧された燃料は、吐出路Ｐａ、ポンプ流路１ｇ、燃料吐出路１ｈを介して図示せぬ燃料噴射弁へと供給される。一方、燃料吐出通路１ｈ内を流れる燃料の一部は、プレッシャーレギュレター流路１ｋを介してプレッシャーレギュレターＲへ供給され、プレッシャーレギュレターＲによって所定の燃料圧力に調圧されるもので、これによって燃料吐出通路１ｈから燃料噴射弁に所定の燃料圧力を有する燃料を供給できる。
【００１５】
そして、本発明による燃料ポンプユニット装置Ｕによると、ポンプケース２がポンプ収納筒部２ｂと挿入筒部２ｄとによって形成され、挿入筒部２ｄが蓋部材１の取付け筒部１ｂに挿入配置されたので、取付け鍔部１ａの下面から下方に向かって突出する高さ（Ｈ）を小さくすることができる。
以上によると、特に扁平型でタンク深さの浅い燃料タンクが採用される二輪車への搭載性を大きく向上できる。又、自動車に比較して振動条件のきびしい二輪車に搭載した際において、特にポンプケース２の剛性、係止部２ｆと係止孔１ｄとの係合部の剛性を高める必要がない。又、燃料ポンプＰは、ポンプケース２の底部２ａと蓋部材１のポンプ取付けボス１ｅの下端１ｅ１とによって挟持され、プレッシャーレギュレターＲは、ポンプケース２の係止段部２ｃとプレッシャーレギュレター取付けボス１ｆの下端１ｆ１とによって挟持されるので、格別な取付け部材を用いることなく、極めて簡単に燃料ポンプＰ、プレッシャーレギュレターＲを支持できる。又、燃料ポンプＰの吐出路Ｐａは、蓋部材１のポンプ流路１ｇに直接的に連絡され、且つポンプ流路１ｇの流路長さを短かくできるので、燃料ポンプＰ内に生起するベーパーがポンプ流路１ｇ内に滞溜することがなく、即座に燃料吐出通路１ｈに排出できる。
更に、燃料ポンプＰの燃料吐出系統にあっては、吐出路Ｐａとポンプ流路１ｇとの間に単一のシール部材Ｓ３が配置されればよいので、シール部材の配置及びシール部分の洩れ確認作業が容易となったものである。更に又、ポンプ流路１ｇ及びプレッシャーレギュレター流路１ｋが取付け筒部２ｄと平行に配置されたことによると、蓋部材１を合成樹脂材料等を用いて射出成型する際、それら流路１ｇ、１ｋを同時に鋳抜き形成することができるとともに燃料ポンプＰとプレッシャーレギュレターＲとを同一方向から組みつけることができる。尚、プレッシャーレギュレターＲは、アダプターを介してプレッシャーレギュレター流路１ｋに接続してもよい。
【図面の簡単な説明】
【００１６】
【図１】本発明の燃料ポンプユニット装置の一実施例を示す要部縦断面図。
【図２】従来の燃料ポンプユニット装置の第１例を示す要部縦断面図。
【図３】従来の燃料ポンプユニット装置の第２例を示す要部縦断面図。
【符号の説明】
【００１７】
１        蓋部材
１ａ      取付け鍔部
１ｂ      取付け筒部
１ｄ      係止孔
１ｅ      ポンプ取付けボス
１ｆ      レギュレター取付けボス
１ｇ      ポンプ流路
１ｋ      プレッシャーレギュレター流路
２        ポンプケース
２ｂ      ポンプ収納筒部
２ｃ      係止段部
２ｄ      挿入筒部
Ｐ        燃料ポンプ
Ｐａ      吐出路
【図１】
2007291932.tif 000003
【図２】
2007291932.tif 000004
【図３】
2007291932.tif 000005